(57)【要約】【課題】  脈波のセンシング可能な着座範囲を広くすることで、体格や着座位置の影響を低減して良好に着座の有無や生体情報を検知する。【解決手段】  人が便座３０２に着座したとすると、人の太腿が着座センサ２８０の真上に位置するようになる。このため、太腿における血流の脈波振動が便座３０２を介してその裏面側に伝わる。この脈波振動は、振動伝達板２１０に伝達され、更に振動リング４０を介してセンサモジュール２００の圧電素子３０に伝達され、生体信号が検出されて、人が便座３０２に着座したこと及び人の生体情報が検知される。その際に、振動伝達板２１０があるために、太腿からの生体振動が良好にセンサモジュール２００に伝達されるようになる。【選択図】図３
2018180398.tif 000002
【特許請求の範囲】
【請求項１】
基板の振動を測定して振動波形を得る圧電素子と、対象物に接触してその振動を前記基板に伝達する振動導入体とが前記基板に設けられたセンサモジュールを利用して、座席利用対象からの生体振動を検出する着座センサであって、  前記座席に振動伝達板を設けるとともに、この振動伝達板に前記振動導入体が接触するように、前記センサモジュールを前記座席に固定手段で固定したことを特徴とする着座センサ。
【請求項２】
前記振動導入体が導電性であることを特徴とする請求項１記載の着座センサ。
【請求項３】
前記振動導入体が導電性リングであり、前記リング内の空間を樹脂で充填したことを特徴とする請求項１又は２記載の着座センサ。
【請求項４】
前記振動伝達板は、前記座席と面接触して、前記座席に着座した人からの振動を前記振動導入体に伝達することを特徴とする請求項１〜３のいずれか一項に記載の着座センサ。
【請求項５】
前記振動伝達板の弾性率を70〜2500MPaとしたことを特徴とする請求項４記載の着座センサ。
【請求項６】
前記固定手段によって、前記振動導入体を前記振動伝達板に押圧したことを特徴とする請求項１〜５のいずれか一項に記載の着座センサ。
【請求項７】
請求項１〜６のいずれか一項に記載の着座センサを備えたことを特徴とする座席。
【請求項８】
前記座席には、椅子，シート，便座，その他の人が着座可能なものが含まれることを特徴とする請求項７記載の座席。
【請求項９】
請求項１〜６のいずれか一項に記載の着座センサにおける圧電素子の検出信号から、前記座席に座席利用対象が着座したこと，もしくは、その生体情報の少なくとも一方を検知することを特徴とする波形解析装置。
【発明の詳細な説明】
【技術分野】
【０００１】
本発明は、脈拍などの各種の振動の波形を計測する振動波形センサの応用に関し、更に具体的には、圧電素子を利用して着座状態ないし脈波などの生体情報を検出する着座センサ，座席，及び波形解析装置に関するものである。
【背景技術】
【０００２】
脈拍の連続測定による健康管理を目的としたセンサデバイスの中で、圧電素子を利用した振動波形センサが提案されている。例えば、下記特許文献には、指先に巻き付けて使用し、指先の動脈血管壁からの振動を脈波として捉えて、医療的診療に応用する背景技術が示されている。  【０００３】
図１(A)は、振動波形センサを脈波センサとして使用する場合が示されており、同図(A)はセンサモジュール１０の断面を示し、同図(B)は分解した様子を示し、同図(C)は底面側から見た様子を示している。これらの図において、センサモジュール１０は、基板２０の主面上に圧電素子３０が配置されており、この圧電素子３０を振動リング４０で覆った構造となっている。前記圧電素子３０は、本実施例では、図１(C)に示すように長方形であり、長手方向を有している。  【０００４】
基板２０は、圧電素子３０を固定支持するとともに、その電極の引出や信号増幅を行うためのもので、その主面には、中央付近に一対の電極ランド２２，２３が設けられており、その周囲にはグランド導体２４が形成されている。電極ランド２２，２３は、基板２０の裏面側にスルーホール２２Ａ，２３Ａによって引き出されている。電極ランド２２，２３には、圧電素子３０の端子（図示せず）が導電性接着剤などで接合されている。このように、電極ランド２２，２３及びスルーホール２２Ａ，２３Ａによって、基板２０の裏面側に設けられたアンプ（後述）などと圧電素子３０とが接続されている。  【０００５】
次に、前記圧電素子３０には、それを囲むように振動リング４０が設けられており、振動リング４０はグランド導体２４と電気的に接合している。また、グランド導体２４は、スルーホール２４Ａ，２４Ｂ（図１(A)のみ図示）によって基板２０の裏面側に引き出されている。振動リング４０は導電性を有しており、接触する人体の皮膚との間でグランド電位を共通にするとともに、皮膚の振動を導入して、更に基板２０に伝達する振動導入体として機能する。皮膚の振動は、振動リング４０に伝達されるとともに、振動リング４０から基板２０に伝達される。基板２０は、振動体としても機能し、振動リング４０から伝達された振動は、圧電素子３０に伝達されるようになっている。この振動リング４０によってキャビティ４１が形成されている。  【０００６】
以上のようなセンサモジュール１０は、図２(A)に示すように、人体の指先に医療用固定テープ１２によって振動リング４０が人体の皮膚ＢＤに当たるように装着される。センサモジュール１０の圧電素子３０から出力された脈波信号は、インスツルメンテーションアンプ２６で増幅された後、メインボード５０に入力される。メインボード５０では、プログラマブルアンプ５２で更に信号が増幅された後、Ａ／Ｄ変換器５３でデジタル信号に変換された後、送信モジュール５４から送信される。送信された脈波信号は、ＵＳＢドングル６０の受信モジュール６２で受信され、ＵＳＢインターフェイス６４から波形解析装置１００に入力される。  【０００７】
波形解析装置１００では、入力データがデータメモリ１１０に波形データ１１２として格納される。ＣＰＵ１０２でノイズ除去プログラム１２２が実行されると、波形データ１１２に対して、予め設定したしきい値を超える外乱があったときは、波形をピークホールドしてノイズを除去する。ＣＰＵ１０２で波形解析プログラム１２４が実行されると、波形データ１１２の演算・解析が行われ、演算結果は演算データ１１４としてデータメモリ１１０に格納されるとともに、ディスプレイ１０４に表示される。また、ＣＰＵ１０２で不整脈検出プログラム１２６が実行され、不整脈が検出される。更に、前記演算結果がしきい値を超えていたり、不整脈が検出されたりしたときは、アラートプログラム１２８によってその旨の警報が、光や音として出力される。以上の構成及び動作は、特許文献１に開示されたとおりである。
【先行技術文献】
【特許文献】
【０００８】
【特許文献１】国際公開第２０１６／１６７２０２号パンフレット
【発明の概要】
【発明が解決しようとする課題】
【０００９】
上述した脈波センサは、指先以外でも脈波のセンシングが可能であり、例えば椅子に組み込んで脚の太腿の脈波を測定すれば、人間が椅子に着座したかどうかを検出することができ、着座センサとして利用できる。  【００１０】
ところで、椅子に振動波形センサを組み込んだ場合、上述した指の場合とは異なり、センサの直上に正確に脚を置かないと、良好に脈波を測定することができない。これは、上述した振動波形センサがセンシングする振動（脈波）が非常に小さく、動脈の直上もしくは直下にセンサが位置しないと、脈波をセンシングできないからである。センシング感度は、動脈の直上ないし直下からの距離に従って大きく低下する。また、椅子の場合、人間の体格や人間の着座位置から、太腿や臀部とセンサの位置関係が変動する。このため、上述した振動波形センサをそのまま椅子に組み込んだとしても、安定した脈波の測定を行うことが困難であった。  【００１１】
本発明は、かかる点に着目したもので、脈波のセンシング可能な着座範囲を広くすることで、体格や着座位置の影響を低減して良好に着座の有無や生体情報の検知を行うことができる着座センサ，座席，及び波形解析装置を提供することを、その目的とするものである。
【課題を解決するための手段】
【００１２】
本発明の着座センサは、基板の振動を測定して振動波形を得る圧電素子と、対象物に接触してその振動を前記基板に伝達する振動導入体とが前記基板に設けられたセンサモジュールを利用して、座席利用対象からの生体振動を検出する着座センサであって、前記座席に振動伝達板を設けるとともに、この振動伝達板に前記振動導入体が接触するように、前記センサモジュールを前記座席に固定手段で固定したことを特徴とする着座センサ。  【００１３】
主要な形態の一つは、前記振動導入体が導電性であることを特徴とする。更には、前記振動導入体が導電性リングであり、前記リング内の空間を樹脂で充填したことを特徴とする。他の形態の一つは、前記振動伝達板は、前記座席と面接触して、前記座席に着座した人からの振動を前記振動導入体に伝達することを特徴とする。更には、前記振動伝達板の弾性率を70〜2500MPaとしたことを特徴とする。更に他の形態によれば、前記固定手段によって、前記振動導入体を前記振動伝達板に押圧したことを特徴とする。  【００１４】
本発明の座席は、前記いずれかの着座センサを備えたことを特徴とする。また、前記座席には、椅子，シート，便座，その他の人が着座可能なものが含まれることを特徴とする。本発明の波形解析装置は、前記いずれかの着座センサにおける圧電素子の検出信号から、前記座席に座席利用対象が着座したこと，もしくは、その生体情報の少なくとも一方を検知することを特徴とする。本発明の前記及び他の目的，特徴，利点は、以下の詳細な説明及び添付図面から明瞭になろう。
【発明の効果】
【００１５】
本発明によれば、座席に振動伝達板を設けるとともに、この振動伝達板にセンサモジュールの振動導入体が接触するように固定することとしたので、脈波のセンシング可能な着座範囲を広くすることができ、体格や着座位置の影響を低減して良好に着座の有無や生体情報の検知を行うことができる。
【図面の簡単な説明】
【００１６】
【図１】背景技術における振動波形センサを示す図であり、(A)は断面図，(B)は組立図，(C)は基板の実装面側から見た平面図である。
【図２】前記振動波形センサを用いた波形解析のシステム構成を示す図であり、(A)は全体の装置構成を示しており、(B)及び(C)は回路構成を示すブロック図である。
【図３】本発明の一実施例におけるセンサモジュール及び着座センサの構成を示す図であり、(A)はセンサモジュール，(B)及び(C)は着座センサの断面を示す。
【図４】前記着座センサの設置例を示す図であり、(A)及び(B)は便座に対する設置例であり、(C)は自動車のシートに対する設置例である。
【図５】前記便座に対する設置例における着座位置と検出した脈波信号の例を示す図である。
【図６】振動伝達板を設けない場合における着座位置と検出した脈波信号の例を示す図である。
【発明を実施するための形態】
【００１７】
以下、本発明を実施するための最良の形態を、実施例に基づいて詳細に説明する。
【実施例１】
【００１８】
以下、図３〜図６を参照しながら、本発明の実施例１について説明する。図３(A)に示すように、本実施例の振動波形センサのセンサモジュール２００は、基本的には上述した図１に示したものと同じ構造であり、基板２０の主面上に圧電素子３０が配置されており、この圧電素子３０を振動リング４０で覆った構造となっている。基板２０の主面には、中央付近に一対の電極ランド２２，２３が設けられており、その周囲にはグランド導体２４が形成されている。電極ランド２２，２３は、基板２０の裏面側にスルーホール２２Ａ，２３Ａによって引き出されている。電極ランド２２，２３には、圧電素子３０の端子（図示せず）が導電性接着剤などで接合されている。このように、電極ランド２２，２３及びスルーホール２２Ａ，２３Ａによって、基板２０の裏面側に設けられたアンプ（後述）などと圧電素子３０とが接続されている。また、前記圧電素子３０には、それを囲むように振動リング４０が設けられており、振動リング４０はグランド導体２４と電気的に接合している。また、グランド導体２４は、スルーホール２４Ａ，２４Ｂによって基板２０の裏面側に引き出されている。振動リング４０は導電性を有しており、接触する人体の皮膚との間でグランド電位を共通にするとともに、皮膚の振動を導入して、更に基板２０に伝達する振動導入体として機能する。皮膚の振動は、振動リング４０に伝達されるとともに、振動リング４０から基板２０に伝達される。基板２０は、振動体としても機能し、振動リング４０から伝達された振動は、圧電素子３０に伝達されるようになっている（図３(A)の矢印参照）。  【００１９】
本実施例では、振動リング４０によって形成されたキャビティ４１に、絶縁性の高いシリコン樹脂４６が充填されている。その充填の程度は、振動リング４０の先端面４０Ａが露出してさえいれば、適宜としてよいが、後述するように振動伝達板に先端面４０Ａが接触するので、振動リング４０から膨出しないようにする。このようなシリコン樹脂４６を充填することで、部品の保護や電極間の短絡を防止するとともに、空気中の湿度や人体からの発汗に対する耐湿性・耐水性の向上も図ることができる。  【００２０】
以上の各部のうち、基板２０としては、例えば、１２ｍｍ角で厚さ１ｍｍのガラスエポキシやセラミックなどの硬質基板が使用される。この基板２０の裏面側には、アンプなどの電子部品が実装される。圧電素子３０の圧電体としては、一般的にはＰＺＴ（チタン酸ジルコン酸鉛）が使われるが特に材質は問わず、適切な感度（圧電定数，容量）を持つもので、形状は用途に応じて０．６×０．３ｍｍ〜３．２×１．６ｍｍ程度のものであればどのようなものでもよい。振動リング４０としては、硬質で導電性のものであれば金属に限定される必要はなく、例えば、硬質プラスチックの表面に金属メッキをかけたものでもよい。また、その形状も、リングである必要はなく、対抗する二辺のみ接着した角柱であってもよい。振動リング４０によって、その先端面４０Ａからの生体（脈波）振動が圧電素子３０に確実に伝わるとともに、電気的ノイズをグランドに逃がすことができるため、より品質の高い脈波信号が得られる。  【００２１】
このようなセンサモジュール２００は、例えば図４(A)に示すように、便器３００の便座３０２に取り付けられる。同図(B)は、便座３０２を裏面側から
見た図であり、同図のL3−L3線に沿って矢印方向に見た図が、図３(B)に示されている。これらの図に示すように、センサモジュール２００は、振動リング４０の先端面４０Ａ側が、振動伝達板２１０を介して便座３０２に当接するように、便座３０２の裏面側に設置されている。センサモジュール２００の基板２０側は、固定板２２０によって広く覆われており、固定板２２０の両端は、ネジ２２２によって便座３０２に固定されている。これら、センサモジュール２００，振動伝達板２１０，固定板２２０の全体によって、着座センサ２８０が構成されている。  【００２２】
以上の各部のうち、便器３００は広く知られているもので、便座３０２としては一般的にプラスチックが使用されている。図示の例では、便座３０２は、表裏のプラスチック板によって内部に空間が形成された構造となっており、この空間内であって、表側のプラスチックの裏面側に着座センサ２８０は設置されている。振動伝達板２１０は、便座３０２に面接触しており、これにより便座３０２からの生体振動を集めて振動リング４０に伝達するためのもので、振動を伝達しやすい（振動が減衰しにくい）材料，例えばある程度弾性のあるABSやポリエチレン樹脂，ポリカーボネートなどの樹脂材料が使用される。より具体的には、弾性率が70〜2500MPa，ロックウェル硬度がR20〜R180であることが好ましい。弾性率が70MPa以下では振動を吸収してしまい、振動を良好にセンシングできないといった不都合があり、2500MPa以上では樹脂部との境界面で振動が吸収されてセンシング感度が低下するといった不都合がある。また、ロックウェル硬度がR20以下ではやはり振動を吸収してしまいセンシングできないといった不都合があり、R180以上では同様に樹脂部との境界面で振動が吸収されてセンシング感度が低下するといった不都合がある。  【００２３】
固定板２２０としては、プラスチックなどを用いてよいが、例えば剛性のある厚手の面ファスナーテープや粘着テープを使用してもよい。センサモジュール２００を押圧すると、振動リング４０，振動伝達板２１０，便座３０２の密着度が向上し、生体振動が良好に伝達されるようになり、感度が向上する。ネジ２２２としては、例えば底面積が広いトラスビスなどを使用する。接着剤などを使用してもよい。図３(C)は、ネジ２２２を追加することで、便座３０２に対するセンサモジュール２００の押圧力をより高めた例である。  【００２４】
次に、着座センサ２８０の動作を説明すると、図５(A)に示すように、被験者４００が便座３０２に着座したとすると、被験者４００の太腿が着座センサ２８０の真上に位置するようになる。このため、太腿における生体振動，例えば血流の脈波振動が便座３０２を介してその裏面側に伝わるようになる。この生体振動は、振動伝達板２１０に伝達され、更に振動リング４０を介してセンサモジュール２００の圧電素子３０に伝達される。  【００２５】
圧電素子３０の検出信号は、図２に示したようにして波形解析装置１００に入力されて解析される。すなわち、図５(A)のグラフに示すような生体信号が検出され、図２に示した波形解析装置１００により、被験者４００が便座３０２に着座したこと及び被験者の生体情報（脈波情報）が検知される。例えば、信号レベルが予め設定した検知レベル以上のときは、着座があったものと判断する。なお、生体情報の検知については、上述した背景技術の通りである。図５(B)は、便座３０２における着座センサ２８０の位置を、１０ｃｍほど先端のほうにずらし、かつ被験者４００が便座３０２に対して斜めに座った場合を示し、着座センサ２８０は、被験者４００の太腿の下に位置していない。このような場合でも、着座センサ２８０による検出信号は、同図にグラフで示すようになり、着座したこと及び被験者４００の生体情報を検知することができる。これは、振動伝達板２１０があるために、太腿からの脈波が良好にセンサモジュール２００に伝達されているものと考えられる。  【００２６】
次に、図６を参照しながら、振動伝達板２１０を設けない場合の計測例を説明する。本例の着座センサ２８２は、図３において振動伝達板２１０を省略したものである。同図(A)は、上述した図５(A)と同様に、被験者４００の太腿が着座センサ２８２の真上に位置する状態の計測例である。同図のグラフに示すように、着座センサ２８２の真上に被験者４００の太腿があるときは、振動伝達板２１０がなくても、良好に生体振動を検出している。  【００２７】
図６(B)は、着座センサ２８２を便座３０２の先端側に配置した例で、着座センサ２８２は被験者４００の太腿から離れた位置となっている。同図のグラフに示すように、検出した信号は非常に弱く、着座したこと及び被験者４００の生体情報を検知するのは困難である。これを、上述した図５(B)と比較すれば明らかなように、振動伝達板２１０を設けることで、信号の検出範囲が広がることがわかる。  【００２８】
一方、同図(C)に示すように、前記(B)と同様の位置に着座センサ２８０を配置していても、被験者４００が便座３０２に対して斜めに座って、結果的に太腿が着座センサ２８０の真上に位置する状態となると、同図にグラフで示すように、良好な信号が得られている。  【００２９】
以上のように、本実施例によれば、便座３０２に対して振動伝達板２１０を設けるとともに、この振動伝達板２１０にセンサモジュール２００の振動リング４０を接触させて着座した利用者の脈波が圧電素子３０に伝達されるようにするとともに、更には振動伝達板２１０が便座３０２に面接触するようにしたので、被験者４００の体格や着座位置の影響を低減して良好に着座したこと及び被験者４００の生体情報を検知することができる。  【００３０】
なお、本発明は、上述した実施例に限定されるものではなく、本発明の要旨を逸脱しない範囲内において種々変更を加え得ることができる。例えば、以下のものも含まれる。(1)前記実施例は、本発明を便座に適用したものであるが、便座以外の各種の座席ないしシートに対して適用可能である。例えば、図４(C)は、自動車のシート５００に対して本発明を適用した例で、クッション５０２の下側にアクリル板（図示せず）を設け、着座センサ２８０の振動伝達板２１０がアクリル板と接する配置となっている。(2)前記実施例で示したセンサモジュール２００では、振動リング４０にシリコン樹脂４６を充填したが、絶縁や耐水などの不都合がなければ、シリコン樹脂４６は省略してもよい。(3)前記実施例で示した各部の材料や形状・寸法は一例であり、必要に応じて適宜変更してよい。例えば、前記実施例では振動リング４０を円筒形状としたが、角筒形状など、適宜の形状としてよい。振動伝達板２１０や固定板２２０についても同様である。(4)着座センサ２８０で得られる振動としては人の脈波振動が一例であるが、動物など各種の座席利用対象の生体振動に対して適用してもよい。(5)前記実施例では、着座センサ２８０によって、ａ，被験者４００が着座したこと，ｂ，被験者４００の脈などの生体情報，の両方を検知することとしたが、いずれか一方のみでもよい。
【産業上の利用可能性】
【００３１】
本発明によれば、座席に振動伝達板を設けるとともに、この振動伝達板にセンサモジュールの振動導入体が接触するように固定することとしたので、振動のセンシング可能な着座範囲を広くすることができ、体格や着座位置の影響を低減して良好に着座の有無や生体情報の検知を行うことができ、便座や自動車のシートなど、各種の座席の着座センサとして好適である。
【符号の説明】
【００３２】
１０：センサモジュール１２：医療用固定テープ２０：基板２２，２３：電極ランド２２Ａ，２３Ａ：スルーホール２４：グランド導体２４Ａ，２４Ｂ：スルーホール２６：インスツルメンテーションアンプ３０：圧電素子４０：振動リング４０Ａ：先端面４１：キャビティ４６：シリコン樹脂５０：メインボード５２：プログラマブルアンプ５３：変換器５４：送信モジュール６０：ＵＳＢドングル６２：受信モジュール６４：ＵＳＢインターフェイス１００：波形解析装置１０４：ディスプレイ１１０：データメモリ１１２：波形データ１１４：演算データ１２２：ノイズ除去プログラム１２４：波形解析プログラム１２６：不整脈検出プログラム１２８：アラートプログラム２００：センサモジュール２１０：振動伝達板２２０，２３０：固定板２２２，２３２：ネジ２８０，２８２：着座センサ３００：便器３０２：便座４００：被験者５００：シート５０２：クッション
【図１】
2018180398.tif 000003
【図２】
2018180398.tif 000004
【図３】
2018180398.tif 000005
【図４】
2018180398.tif 000006
【図５】
2018180398.tif 000007
【図６】
2018180398.tif 000008
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
センサモジュールと、振動伝達板とを備えており、
前記センサモジュールは、
測定対象の振動の波形を得る圧電素子と、
前記圧電素子に前記測定対象の振動を導入する振動導入体と、
を備えており、
前記振動伝達板は、前記測定対象の振動を前記振動導入体に伝達することを特徴とする振動センサ。
【請求項２】
前記振動導入体が導電性であることを特徴とする請求項１に記載の振動センサ。
【請求項３】
前記振動導入体が導電性リングであり、前記リング内の空間を樹脂で充填したことを特徴とする請求項１に記載の振動センサ。
【請求項４】
前記振動導入体が前記振動伝達板に接触するように前記センサモジュールを固定する固定手段と、
を備えたことを特徴とする請求項１〜３のいずれか一項に記載の振動センサ。
【請求項５】
請求項４に記載の振動センサを利用して、生体からの生体振動を検出する着座センサであって、
対象物に前記振動伝達板を設けるとともに、前記振動導入体が前記振動伝達板に接触するように、前記固定手段で、前記センサモジュールを前記対象物に固定したことを特徴とする着座センサ。
【請求項６】
前記対象物が座席であることを特徴とする請求項５に記載の着座センサ。
【請求項７】
前記振動伝達板は、前記対象物と面接触して、前記対象物に接触した生体からの振動を前記振動導入体に伝達することを特徴とする請求項５又は６に記載の着座センサ。
【請求項８】
前記振動伝達板の弾性率を70MPa〜2500MPaとしたことを特徴とする請求項７記載の着座センサ。
【請求項９】
前記固定手段によって、前記振動導入体を前記振動伝達板に押圧したことを特徴とする請求項５〜８のいずれか一項に記載の着座センサ。
【請求項１０】
請求項５〜９のいずれか一項に記載の着座センサを備えたことを特徴とする対象物。
【請求項１１】
前記対象物には、椅子，シート，便座，その他の人が着座可能なものが含まれることを特徴とする請求項１０記載の対象物。
【請求項１２】
請求項５〜９のいずれか一項に記載の着座センサにおける圧電素子の検出信号から、前記対象物に生体が着座したこと，もしくは、その生体情報の少なくとも一方を検知することを特徴とする波形解析装置。
【手続補正３】
【補正対象書類名】明細書
【補正対象項目名】０００１
【補正方法】変更
【補正の内容】
【０００１】
本発明は、脈拍などの各種の振動の波形を計測する振動波形センサの応用に関し、更に具体的には、圧電素子を利用して着座状態ないし脈波などの生体情報を検出する振動センサ，着座センサ，対象物，及び波形解析装置に関するものである。
【手続補正４】
【補正対象書類名】明細書
【補正対象項目名】００１１
【補正方法】変更
【補正の内容】
【００１１】
本発明は、かかる点に着目したもので、脈波のセンシング可能な着座範囲を広くすることで、体格や着座位置の影響を低減して良好に着座の有無や生体情報の検知を行うことができる振動センサ，着座センサ，対象物，及び波形解析装置を提供することを、その目的とするものである。
【手続補正５】
【補正対象書類名】明細書
【補正対象項目名】００１２
【補正方法】変更
【補正の内容】
【００１２】
本発明の振動センサは、センサモジュールと、振動伝達板とを備えており、前記センサモジュールは、測定対象の振動の波形を得る圧電素子と、前記圧電素子に前記測定対象の振動を導入する振動導入体と、を備えており、前記振動伝達板は、前記測定対象の振動を前記振動導入体に伝達することを特徴とする。主要な形態の一つによれば、前記振動導入体が導電性であることを特徴とする。他の形態によれば、前記振動導入体が導電性リングであり、前記リング内の空間を樹脂で充填したことを特徴とする。更に他の形態によれば、前記振動導入体が前記振動伝達板に接触するように前記センサモジュールを固定する固定手段を備えたことを特徴とする。
【手続補正６】
【補正対象書類名】明細書
【補正対象項目名】００１３
【補正方法】変更
【補正の内容】
【００１３】
本発明の着座センサは、前記振動センサを利用して、生体からの生体振動を検出する着座センサであって、対象物に前記振動伝達板を設けるとともに、前記振動導入体が前記振動伝達板に接触するように、前記固定手段で、前記センサモジュールを前記対象物に固定したことを特徴とする。主要な形態の一つによれば、前記対象物が座席であることを特徴とする。他の形態によれば、前記振動伝達板は、前記対象物と面接触して、前記対象物に接触した生体からの振動を前記振動導入体に伝達することを特徴とする。更に他の形態によれば、前記振動伝達板の弾性率を70MPa〜2500MPaとしたことを特徴とする。更に他の形態によれば、前記固定手段によって、前記振動導入体を前記振動伝達板に押圧したことを特徴とする。
【手続補正７】
【補正対象書類名】明細書
【補正対象項目名】００１４
【補正方法】変更
【補正の内容】
【００１４】
本発明の対象物は、前記いずれかの着座センサを備えたことを特徴とする。主要な形態の一つによれば、前記対象物には、椅子，シート，便座，その他の人が着座可能なものが含まれることを特徴とする。本発明の波形解析装置は、前記いずれかの着座センサにおける圧電素子の検出信号から、前記対象物に生体が着座したこと，もしくは、その生体情報の少なくとも一方を検知することを特徴とする。本発明の前記及び他の目的，特徴，利点は、以下の詳細な説明及び添付図面から明瞭になろう。
【国際調査報告】
2018180398.tif 000009
2018180398.tif 000010
2018180398.tif 000011
2018180398.tif 000012